【手続補正書】
【提出日】平成18年8月18日(2006.8.18)
【手続補正１】
【補正対象書類名】明細書
【補正対象項目名】特許請求の範囲
【補正方法】変更
【補正の内容】
【特許請求の範囲】
【請求項１】  紙または板紙の積層体であって、該積層体は、ここでは以後厚み層と呼ばれる少なくとも１つの厚み増大層と、厚み層の少なくとも一方の側にある少なくとも１つの二次層とからなり、前記二次層と前記厚み層とは、基本的には互いに向き合う面全体にわたって直接的または間接的に互いに接合している、紙または板紙の積層体において、
前記厚み層の４０ないし９５％は５５０ないし９５０ｍｌＣＳＦの濾水度を有するセルロース繊維からなり、前記二次層は前記厚み層より大きな密度を有し、前記積層体は、機械方向および横方向における相乗平均値として計算された、２．５Ｎｍ7 ／ｋｇ3 より高いが１４Ｎｍ7 ／ｋｇ3 より低い曲げ剛性指数を有することを特徴とする紙または板紙の積層体。
【請求項２】  前記厚み層の少なくとも６０％は６００ｍｌＣＳＦより高い濾水度を有する繊維からなり、前記積層体は３．０Ｎｍ7 ／ｋｇ3 より高い曲げ剛性指数を有することを特徴とする請求項１に記載の紙または板紙の積層体。
【請求項３】  前記厚み層の少なくとも６０％は６５０ｍｌＣＳＦより高い濾水度を有する繊維からなり、最も好ましいのは少なくとも７００ｍｌＣＳＦであるが、８５０ｍｌＣＳＦよりも低い濾水度の繊維からなり、該積層体は４．０Ｎｍ7 ／ｋｇ3 より高い曲げ剛性指数を有することを特徴とする請求項２に記載の紙または板紙の積層体。
【請求項４】  前記積層体は機械方向および横方向における相乗平均値として計算された５．０Ｎｍ7 ／ｋｇ3 より高い曲げ剛性指数を有することを特徴とする請求項３に記載の紙または板紙の積層体。
【請求項５】  前記厚み層は５０ないし３００ｋｇ／ｍ3 の密度を有し、好ましくは７０ないし２００ｋｇ／ｍ3 、最も好ましくは１００ないし１８０ｋｇ／ｍ3 の密度を有することを特徴とする請求項１に記載の紙または板紙の積層体。
【請求項６】  前記二次層は前記厚み層の密度の少なくとも２倍の密度を有し、好ましくは少なくともその３倍、最も好ましくは４倍の密度を有することを特徴とする請求項１に記載の紙または板紙の積層体。
【請求項７】  前記二次層は３００ないし１５００ｋｇ／ｍ3 の密度を有し、好ましくは４００ないし８５０ｋｇ／ｍ3 の密度を有することを特徴とする請求項５に記載の紙または板紙の積層体。
【請求項８】  前記積層体は１００ないし５００ｋｇ／ｍ3 の密度を有し、適宜には最大４００ｋｇ／ｍ3 、好ましくは１２５ないし３５０ｋｇ／ｍ3 、最も好ましくは１５０ないし２５０ｋｇ／ｍ3 の密度を有することを特徴とする請求項１および７のいずれか１項に記載の紙または板紙の積層体。
【請求項９】  前記積層体は２００ないし４００ｋｇ／ｍ3 、好ましくは２５０ないし３５０ｋｇ／ｍ3 の密度を有することを特徴とする請求項５ないし７のいずれか１項に記載の紙または板紙の積層体。
【請求項１０】  前記積層体は３００ないし５００ｋｇ／ｍ3 、好ましくは３５０ないし４５０ｋｇ／ｍ3 の密度を有することを特徴とする請求項５ないし７のいずれか１項に記載の紙または板紙の積層体。
【請求項１１】  前記厚み層内のセルロース繊維は、定義によってメカニカル、サーモメカニカル、またはケミサーモメカニカルであるパルプ製造方法によって作られた、好ましくは７５％を超え、最も好ましくは８０％を超える木材収率を有するセルロース繊維から主としてなることを特徴とする請求項１に記載の紙または板紙の積層体。
【請求項１２】  前記厚み層内のセルロース繊維は主としてＴＭＰパルプおよび／またはＣＴＭＰパルプの繊維からなることを特徴とする請求項１１に記載の紙または板紙の積層体。
【請求項１３】  前記厚み層には、少なくともＴＭＰおよび／またはＣＴＭＰの高収率パルプ繊維とは別に、乾燥重量で計算して最大４０％の総量になる、紙または板紙の積層体から得られた化学パルプおよび／または破砕されおおよそ乾燥して取り出された繊維が含まれることを特徴とする請求項１２に記載の紙または板紙の積層体。
【請求項１４】  前記厚み層内の繊維には、少なくともＴＭＰおよび／またはＣＴＭＰの高収率パルプ繊維とは別に、好ましくは、ポリエチレン、ポリプロピレンおよびポリエステルを含む重合体グループに属する任意の重合体の繊維が合成弾性繊維重量比で最大３０％含まれており、および／または化学架橋された軟木材繊維が最大３０％含まれていることを特徴とする請求項１２または１３に記載の紙または板紙の積層体。
【請求項１５】  前記二次層の少なくとも１つは主として、漂白されたまたは漂白されていない硫酸塩またはオルガノソルブパルプからなることを特徴とする請求項１に記載の紙または板紙の積層体。
【請求項１６】  前記二次層は主として、主に軟木材および／または硬木材からなるセルロース原料から作られた、漂白されたまたは漂白されていないセルロース化学パルプからなることを特徴とする請求項１５に記載の紙または板紙の積層体。
【請求項１７】  該積層体は厚み層の少なくとも一方の側に二次層を有し、該二次層は、２０°ＳＲより高いが、６５°ＳＲより高くはなく、好ましくは２５°ＳＲより高いが、４０°ＳＲより高くはない脱水抵抗を備えた加工素材から作られた、蒸気に対して透過性の紙材料によって作られており、また該積層体は少なくとも、厚み層の反対側において、前記脱水抵抗を有している加工素材から作られた蒸気に対し透過性の紙材料の前記二次層よりも相当に透過性の小さい材料からなる第３の層を有していることを特徴とする請求項１に記載の紙または板紙の積層体。
【請求項１８】  前記二次層の少なくとも１つは、前記厚み層に接合される前に、１つ以上の分離段階において成形されプレスされ終わった紙材料から成形されていることを特徴とする前記請求項のいずれか１項に記載の紙または板紙の積層体。
【請求項１９】  少なくとも前記第３の層は、重合体フィルム、金属箔、好ましくはアルミ箔または金属化重合体フィルムによって形成されていることを特徴とする請求項１７に記載の紙または板紙の積層体。
【請求項２０】  前記第３の層は、ポリエチレン、ポリプロピレン、ポリブテン、ポリエステル、ポリビニル塩化物および／またはポリビニリデン塩化物、ポリビニルアルコール、ポリエチレンビニルアルコール共重合体、エチレン酢酸ビニル共重合体．またはセルロースエステルより成るグループから選択された重合体の重合体フィルムによって形成されていることを特徴とする請求項１９に記載の紙または板紙の積層体。
【請求項２１】  前記第３の層は１３０°Ｃを超える降伏点を有する重合体フィルムによって形成され、前記重合体フィルムの積層が直接に前記厚み層に対してなされていることを特徴とする請求項２０に記載の紙または板紙の積層体。
【請求項２２】  前記厚み層は３０ないし３００ｇ／ｍ2 の基本重量を有し、前記少なくとも１つの二次層は３０ないし１５０ｇ／ｍ2 の基本重量を持ち、前記積層体は５０ないし５００ｇ／ｍ2 の基本重量を有していることを特徴とする請求項１に記載の紙または板紙の積層体。
【請求項２３】  前記厚み層は４０ないし８０ｇ／ｍ2 の基本重量を有していることを特徴とする請求項２２に記載の紙または板紙の積層体。
【請求項２４】  前記厚み層は７０ないし１２０ｇ／ｍ2 の基本重量を有していることを特徴とする請求項２２に記載の紙または板紙の積層体。
【請求項２５】  前記厚み層は０．１ないし６ｍｍの厚さを有し、好ましくは０．２ないし１．０ｍｍ、最も好ましくは０．３ないし０．７ｍｍの厚さをを有していることを特徴とする請求項２２に記載の紙または板紙の積層体。
【請求項２６】  前記積層体は５０ないし５００ｇ／ｍ2 、好ましくは９０ないし２００ｇ／ｍ2 の基本重量を有していることを特徴とする請求項２２に記載の紙または板紙の積層体。
【請求項２７】  前記積層体は２５ないし１５０Ｎｍ／ｇ、好ましくは５０ないし１００Ｎｍ／ｇの引張指数を有していることを特徴とする請求項１から２６のいずれか１項に記載の紙または板紙の積層体。
【請求項２８】  前記少なくとも１つの二次層は前記厚み層の厚さの５ないし２０％に達する厚さを有し、好ましくは多くともその１５％、最も好ましくは最大１０％の厚さを有していることを特徴とする請求項１ないし２７のいずれか１項に記載の紙または板紙の積層体。
【請求項２９】  前記厚み層は該積層体内の他の層にプレスによって接合され、該プレスは、前記厚み層が該厚み層の前記密度限界内の密度を保持するか、または獲得するように実施されることを特徴とする前記請求項のいずれか１項に記載の紙または板紙の積層体。
【請求項３０】  前記厚み層は乾式成形によって成形されることを特徴とする前記請求項のいずれか１項に記載の紙または板紙の積層体。
【請求項３１】  前記厚み層は湿式成形によって成形されることを特徴とする前記請求項１ないし２９のいずれか１項に記載の紙または板紙の積層体。
【請求項３２】  前記厚み層は、少なくとも１つの結合剤、好ましくはラテックス結合剤を、乾燥重量として計算された、該積層体重量の１ないし３０％、適宜には５ないし３０％、好ましくは７ないし３０％、更により好ましくは１０ないし２０％の量で含んでいることを特徴とする請求項１ないし３１のいずれか１項に記載の紙または板紙の積層体。
【請求項３３】  該積層体はプレスおよび乾燥の前に、乾燥重量として計算された該積層体の重量の１ないし３０％、適宜には５ないし３０％、好ましくは７ないし３０％、更により好ましくは１０ないし２０％の量で、主として厚み層に結合剤を添加することによって圧密されることを特徴とする請求項１ないし３２のいずれか１項に記載の紙または板紙の積層体。
【請求項３４】  前記厚み層は３０ないし１００ｇ／ｍ2 、好ましくは３０ないし８０ｇ／ｍ2 の基本重量を有し、結合剤のパーセンテージは、乾燥重量として計算された積層体重量の１ないし５％、好ましくはその２ないし５％であることを特徴とする請求項１ないし２２、または２５ないし３３のいずれか１項に記載の紙または板紙の積層体。
【請求項３５】  前記結合剤は、水溶性の重合体または水中に分散可能な重合体、すなわち好ましくは、前記重合体の単独重合体または共重合体の形態におけるポリ酢酸ビニル、ポリビニルアルコール、ポリアクリル酸エステル、ポリアクリル酸、ポリエチレン、ポリアクリルアミド、ポリスチレン、およびマレイン酸誘導体から成るグループから選択されるか、あるいは澱粉、カルボキシメチルセルロースおよびゴムからなるグループから選択された少なくとも１つの結合剤を含むことを特徴とする請求項３２ないし３４のいずれか１項に記載の紙または板紙の積層体。
【請求項３６】  澱粉、カルボキシメチルセルロースおよびゴムからなるグループから選択された前記結合剤は前記厚み層と前記少なくとも１つの二次層との間で接着剤を形成することを特徴とする請求項３５に記載の紙または板紙の積層体。
【請求項３７】  該積層体は折り作業の後に折りエリアにおいて厚み層内で少なくとも１０％、好ましくは少なくとも２０％の恒久的な厚み減になり、このことによって、折り作業に関連して有意な程度に発生する層間剥離や最も外側の層に生じる亀裂を起こすことなく、容易に折り目が付けられることを特徴とする前記請求項のいずれか１項に記載の紙または板紙の積層体。
【請求項３８】  紙または板紙の積層体を製造する方法であって、該積層体は、ここでは以後厚み層と呼ばれる少なくとも１つの厚み増大層と、前記厚み層の少なくとも一方の側にある少なくとも１つの二次層とからなり、前記二次層と前記厚み層とは、基本的には互いに向き合う面全体にわたって直接的または間接的に互いに接合している紙または板紙の積層体を製造する方法において、 重量比において４０ないし９５％が濾水度５５０ないし９５０ｍｌＣＳＦのセルロース繊維からなっている層は、厚み層（１）として選択されるか、または製作され、当該厚み層は少なくともその一方の側において、機械方向および横方向での相乗平均値として計算された、２．５Ｎｍ7 ／ｋｇ3 よい高いが、１４Ｎｍ7 ／ｋｇ3 より低い曲げ剛性指数を有する積層体を形成するために、厚み層より大きい密度を有する１つの二次層（２ａ、２ｂ）に、直接または間接的に接合される紙または板紙の積層体を製造する方法。
【請求項３９】  前記厚み層内の前記セルロース繊維は、６００ｍｌＣＳＦより高く、好ましくは６５０より高く、最も好ましくは少なくとも７００ｍｌＣＳＦであるが、８５０ｍｌＣＳＦよりも低い濾水度を有することを特徴とする請求項３８に記載の方法。
【請求項４０】  前記厚み層の密度の少なくとも２倍、好ましくは少なくとも３倍、最も好ましくは少なくとも４倍である密度を有している紙材料が、少なくともいずれかの二次層として選択されることを特徴とする請求項３８または３９に記載の方法。
【請求項４１】  圧密された積層体を形成するために二次層へ積層される時における厚み層は、積層後の該積層体における厚み層の密度が５０ないし３００ｋｇ／ｍ3 に、好ましくは７０ないし２００ｋｇ／ｍ3 に、最も好ましくは１００ないし１８０ｋｇ／ｍ3 に維持されるような程度に圧縮されるだけ、また／あるいはその程度の密度に弾性復帰するようになされていることを特徴とする請求項３８に記載の方法。
【請求項４２】  乾燥重量として計算された該積層体重量の１ないし３０％、適宜には５ないし３０％、好ましくは７ないし３０％、更により好ましくは１０ないし２０％の量で、厚み層および／または二次層に結合剤が添加され、層が互いに接合させられると直ちに、前記結合剤の大部分は厚み層内に浸透させられ、配分させられることを特徴とする請求項３８ないし４１のいずれか１項に記載の方法。
【請求項４３】  好ましくは、該積層体が３０ないし１００ｇ／ｍ2 、好ましくは３０ないし８０ｇ／ｍ2 の厚み層の基本重量を有するとき、積層体重量の１ないし５％、好ましくは２ないし５％の量で結合剤が厚み層および／または二次層に添加されることを特徴とする請求項４２に記載の方法。